(57)【要約】【課題】  特に不使用時における保冷、冷却装置の取り扱い作業が容易にできるようにする。また、保冷、冷却装置が備える保冷容器の内部空間に対し、被収容物を出し入れする作業が容易にできるようにする。【解決手段】  保冷、冷却装置１は、内部空間１２に被収容物１１を収容可能とする保冷容器１３と、この保冷容器１３に取り付けられ、この保冷容器１３の内部空間１２を冷却する冷却機器１４とを備える。保冷容器１３を折り畳み可能な構造とする。【選択図】  図１
2006194503.tif 000002
【特許請求の範囲】
【請求項１】
内部空間に被収容物を収容可能とする保冷容器と、この保冷容器に取り付けられ、この保冷容器の内部空間を冷却する冷却機器とを備えた保冷、冷却装置において、
上記保冷容器を折り畳み可能な構造としたことを特徴とする保冷、冷却装置。
【請求項２】
上記保冷容器が、上方に向かって開口する箱形状の容器本体と、この容器本体の開口を開閉可能に閉じる蓋とを備えた保冷、冷却装置において、
上記蓋を一側部と他側部とに分断し、上記蓋の一側部に上記冷却機器を取り付け、上記蓋の他側部が、この他側部に対応する上記開口の部分を開閉可能に閉じるようにしたことを特徴とする請求項１に記載の保冷、冷却装置。
【請求項３】
上記冷却機器が、熱交換器と、この熱交換器を空冷する空冷ファンとを備え、この空冷ファンにより上記熱交換器を空冷した後の排風が上記蓋の他側部の上方近傍域に向けて排出されるようにしたことを特徴とする請求項２に記載の保冷、冷却装置。
【請求項４】
上記冷却機器に電力を供給する電力装置を上記蓋の他側部に取り付けたことを特徴とする請求項２、もしくは３に記載の保冷、冷却装置。
【請求項５】
上記保冷容器が、上方に向かって開口する箱形状の容器本体と、この容器本体の開口を開閉可能に閉じる蓋とを備えた保冷、冷却装置において、
上記蓋の上面に上記冷却機器を取り付け、上記蓋の上、下面を反転させて、上記開口を閉じたとき、上記冷却機器が上記保冷容器の内部空間に収容されるようにしたことを特徴とする請求項１に記載の保冷、冷却装置。
【発明の詳細な説明】
【技術分野】
【０００１】
本発明は、医薬品や冷凍食品などの被収容物を収容して保冷すると共に、この被収容物を冷却するようにした保冷、冷却装置に関するものである。
【背景技術】
【０００２】
上記保冷、冷却装置には、従来、下記特許文献１，２に示されるものがある。これら公報のものによれば、上記保冷、冷却装置は、内部空間に被収容物を収容可能とする保冷容器と、この保冷容器に取り付けられ、この保冷容器の内部空間を冷却する冷却機器とを備えている。
【０００３】
そして、上記冷却機によって、上記保冷容器の内部空間が冷却されると、上記保冷容器の内部空間に収容されている被収容物が冷却される。また、この被収容物は、上記保冷容器によって、上記冷却された状体で保冷される。
【０００４】
よって、上記被収容物は、その品質が保持されたまま、長時間の保存が可能とされる。この結果、例えば、上記被収容物を遠方や交通不便なところまで、時間をかけて搬送したり、長時間にわたり保管したりすることが可能となる。
【０００５】
【特許文献１】特開２００２−２２８３２３号公報
【特許文献２】特開平７−２６０３１４号公報
【発明の開示】
【発明が解決しようとする課題】
【０００６】
ところで、上記従来の技術における各保冷、冷却装置の外形寸法は、一定に定められている。このため、上記保冷、冷却装置の不使用時において、この保冷、冷却装置を遠方や交通不便なところに搬送したり、保管したりしようとすると、この保冷、冷却装置は、その外形が無用に大きいままに保たれることから、この保冷、冷却装置の取り扱い作業が煩雑になりがちである。
【課題を解決するための手段】
【０００７】
本発明は、上記のような事情に注目してなされたもので、本発明の目的は、特に不使用時における保冷、冷却装置の取り扱い作業が容易にできるようにすることである。
【０００８】
また、本発明の他の目的は、上記保冷、冷却装置が備える保冷容器の内部空間に対し、被収容物を出し入れする作業が容易にできるようにすることである。
【０００９】
請求項１の発明は、内部空間１２に被収容物１１を収容可能とする保冷容器１３と、この保冷容器１３に取り付けられ、この保冷容器１３の内部空間１２を冷却する冷却機器１４とを備えた保冷、冷却装置において、
上記保冷容器１３を折り畳み可能な構造としたものである。
【００１０】
請求項２の発明は、請求項１の発明に加えて、上記保冷容器１３が、上方に向かって開口する箱形状の容器本体１６と、この容器本体１６の開口を開閉可能に閉じる蓋１８とを備えた保冷、冷却装置において、
上記蓋１８を一側部２５と他側部２６とに分断し、上記蓋１８の一側部２５に上記冷却機器１４を取り付け、上記蓋１８の他側部２６が、この他側部２６に対応する上記開口１７の部分１７ｂを開閉可能に閉じるようにしたものである。
【００１１】
請求項３の発明は、請求項２の発明に加えて、上記冷却機器１４が、熱交換器３３と、この熱交換器３３を空冷する空冷ファン３４とを備え、この空冷ファン３４により上記熱交換器３３を空冷した後の排風３６が上記蓋１８の他側部２６の上方近傍域３７に向けて排出されるようにしたものである。
【００１２】
請求項４の発明は、請求項２、もしくは３の発明に加えて、上記冷却機器１４に電力を供給する電力装置１５を上記蓋１８の他側部２６に取り付けたものである。
【００１３】
請求項５の発明は、請求項１の発明に加えて、上記保冷容器１３が、上方に向かって開口する箱形状の容器本体１６と、この容器本体１６の開口を開閉可能に閉じる蓋１８とを備えた保冷、冷却装置において、
上記蓋１８の上面に上記冷却機器１４を取り付け、上記蓋１８の上、下面を反転させて、上記開口１７を閉じたとき、上記冷却機器１４が上記保冷容器１３の内部空間１２に収容されるようにしたものである。
【００１４】
なお、この項において、上記各用語に付記した符号は、本発明の技術的範囲を後述の「実施例」の項や図面の内容に限定解釈するものではない。
【発明の効果】
【００１５】
本発明による効果は、次の如くである。
【００１６】
請求項１の発明は、内部空間に被収容物を収容可能とする保冷容器と、この保冷容器に取り付けられ、この保冷容器の内部空間を冷却する冷却機器とを備えた保冷、冷却装置において、
上記保冷容器を折り畳み可能な構造としている。
【００１７】
このため、上記保冷、冷却装置の不使用時には、上記保冷容器を折り畳めば、この保冷容器をコンパクトにできる。よって、保冷、冷却装置の不使用時において、この保冷、冷却装置を遠方や交通不便なところに搬送したり、保管したりするときの取り扱い作業が容易にできる。
【００１８】
請求項２の発明は、上記保冷容器が、上方に向かって開口する箱形状の容器本体と、この容器本体の開口を開閉可能に閉じる蓋とを備えた保冷、冷却装置において、
上記蓋を一側部と他側部とに分断し、上記蓋の一側部に上記冷却機器を取り付け、上記蓋の他側部が、この他側部に対応する上記開口の部分を開閉可能に閉じるようにしている。
【００１９】
このため、上記保冷容器の内部空間に対し、被収容物を出し入れする作業は、上記蓋の他側部を操作して上記開口の部分を開け、この部分を通して行えばよい。つまり、上記冷却機器を上記蓋の一側部と共に上記容器本体に取り付けたままで、上記内部空間に対し、被収容物の出し入れ作業ができる。よって、この出し入れ作業が容易にできる。
【００２０】
請求項３の発明は、上記冷却機器が、熱交換器と、この熱交換器を空冷する空冷ファンとを備え、この空冷ファンにより上記熱交換器を空冷した後の排風が上記蓋の他側部の上方近傍域に向けて排出されるようにしている。
【００２１】
このため、例えば、上記保冷、冷却装置に積み上げた他の保冷、冷却装置や、外側方に隣り合う更に他の保冷、冷却装置に対し、上記熱交換器を空冷した後の温かい排風が直接向かう、ということが防止される。よって、上記保冷、冷却装置の周りの他の保冷、冷却装置が無用に加熱されるということは防止され、この保冷、冷却装置による保冷、冷却効果が良好に保たれる。
【００２２】
請求項４の発明は、上記冷却機器に電力を供給する電力装置を上記蓋の他側部に取り付けている。
【００２３】
このため、上記蓋の他側部の周りの空間が上記電力装置の配置に利用されることとなる。よって、上記保冷、冷却装置の各構成部品がコンパクトに配置されてこの保冷、冷却装置を、より小型にできる。
【００２４】
請求項５の発明は、上記保冷容器が、上方に向かって開口する箱形状の容器本体と、この容器本体の開口を開閉可能に閉じる蓋とを備えた保冷、冷却装置において、
上記蓋の上面に上記冷却機器を取り付け、上記蓋の上、下面を反転させて、上記開口を閉じたとき、上記冷却機器が上記保冷容器の内部空間に収容されるようにしている。
【００２５】
このため、上記保冷、冷却装置の不使用時には、上記したように、蓋を単に反転させる。すると、上記保冷容器の外部に上記冷却機器の占有空間を設けることは不要となる分、保冷、冷却装置をコンパクトにできる。よって、保冷、冷却装置の不使用時に、この保冷、冷却装置を搬送したり、保管したりするときの取り扱い作業が容易にできる。また、上記のように反転させた蓋の上面は平坦となるため、上記保冷、冷却装置を段積みすることも可能となる。よって、上記取り扱い作業が更に容易となる。
【発明を実施するための最良の形態】
【００２６】
本発明の保冷、冷却装置に関し、特に不使用時における保冷、冷却装置の取り扱い作業が容易にできるようにする、という目的を実現するため、本発明を実施するための最良の形態は、次の如くである。
【００２７】
即ち、保冷、冷却装置は、内部空間に被収容物を収容可能とする保冷容器と、この保冷容器に取り付けられ、この保冷容器の内部空間を冷却する冷却機器とを備えている。上記保冷容器が折り畳み可能な構造とされている。
【実施例】
【００２８】
本発明をより詳細に説明するために、その実施例を添付の図に従って説明する。
【００２９】
図２において、符号１は保冷、冷却装置である。
【００３０】
上記保冷、冷却装置１は、路面２上を任意の位置へ移動可能とされる手押し車式の車両３と、この車両３上に載置され、この車両３の移動により、任意の位置に搬送可能とされる保冷、冷却装置本体４とを備えている。
【００３１】
上記車両３は、上記保冷、冷却装置本体４を載置させる車台６と、この車台６に回転可能に支持されて上記路面２上を転動する左右一対の車輪７と、上記車台６から延出して作業者により把持されるハンドル８と、上記車台６を後下がり状に傾斜させたとき、上記各車輪７と共に上記路面２上に当接して、上記車両３を二点鎖線図示の路面２上に静止状態に支持可能とする支持部９とを備えている。
【００３２】
図１−５において、上記保冷、冷却装置本体４は、医薬品や冷凍食品などの被収容物１１を収容して保冷すると共に、この被収容物１１を冷却するものである。上記保冷、冷却装置本体４は、内部空間１２に上記被収容物１１を収容可能とする保冷容器１３と、この保冷容器１３の内部空間１２に冷気を循環させて、この内部空間１２を冷却する冷却機器１４と、この冷却機器１４に不図示の電線を通し電力を供給する電力装置１５とを備えている。この電力装置１５はバッテリである。
【００３３】
上記保冷容器１３は、上方に向かって開口する箱形状の容器本体１６と、この容器本体１６の上端の開口１７をその上方から開閉可能に閉じる板形状の蓋１８と、この蓋１８を上記容器本体１６に着脱可能に固着させる面ファスナー製の固着具１９とを備えている。
【００３４】
上記容器本体１６は、この容器本体１６の外殻を構成し、上方に向かって開口する箱形状の容器外殻材２１と、この容器外殻材２１の各内側面に面接触するよう設けられる複数（５枚）の側壁材２２と、上記容器外殻材２１の底面に面接触するよう設けられる断熱性の底材２３とを備えている。上記容器本体１６は直方体形状をなし、上記各側壁材２２と底材２３とはそれぞれ矩形板形状をなし、断熱材で形成されている。
【００３５】
上記蓋１８は矩形板状をなし、断熱材で形成されている。上記蓋１８は、その長手方向で一側部２５と他側部２６とに分断されている。これら一側部２５と他側部２６とは、これら一側部２５と他側部２６に対応する上記開口１７の各部分１７ａ，１７ｂをそれぞれ個別に開閉可能に閉じている。上記一側部２５と他側部２６とはそれぞれ上記固着具１９により個別に上記容器本体１６に着脱可能に固着されている。
【００３６】
上記蓋１８の一側部２５の上面に上記冷却機器１４が固着具２８により着脱可能に固着されている。一方、上記他側部２６の上面に上記電力装置１５が他の固着具２９により着脱可能に固着されている。上記各固着具２８，２９は、いずれも面ファスナー製である。
【００３７】
上記冷却機器１４は公知のものである。この冷却機器１４は、その外殻を構成し、上記固着具２８により蓋１８の一側部２５に固着されるケーシング３２と、このケーシング３２に内有される熱交換器３３と、この熱交換器３３を空冷する空冷ファン３４とを備えている。上記空冷ファン３４により上記熱交換器３３を空冷した後の温かい排風３６は、上記ケーシング３２の外部に排出される。
【００３８】
上記冷却機器１４と電力装置１５とは、水平方向で互いに離れて配置され、これら１４，１５の間には、空間が形成されている。この空間のうち、上記蓋１８の他側部２６の上方近傍域３７に向けて、上記排風３６が排出される。
【００３９】
上記蓋１８の一側部２５と他側部２６とのそれぞれ上、下面を反転させて、上記開口１７の各部分１７ａ，１７ｂを閉じたとき、上記冷却機器１４と電力装置１５とはそれぞれ上記保冷容器１３の内部空間１２に収容されるようになっている（図１，４中、二点鎖線）。
【００４０】
上記保冷、冷却装置１は、折り畳み可能な構造とされている。
【００４１】
具体的には、上記車両３は、図示しないが、上記車台６が屈曲可能とされている。この車台６の屈曲により、左右車輪７が互いに接近して、車両３が全体的に偏平な形状となるよう折り畳み可能とされている。上記容器本体１６の容器外殻材２１は、可撓性膜材により形成されている。上記各側壁材２２と底材２３とはそれぞれ個別に上記容器外殻材２１に嵌脱可能に嵌入されている。この容器外殻材２１内で、上記各側壁材２２と底材２３の互いの対向部分が互いに接合することにより、上記容器外殻材２１が上記箱形状に保形される。
【００４２】
また、図６において、上記容器外殻材２１から上記各側壁材２２と底材２３とを離脱させれば、上記容器外殻材２１は任意に折り畳み可能とされている。また、上記容器外殻材２１の外部で、上記各側壁材２２と底材２３とを互いに重ね合わせれば、この重ね合わせ体２１，２３はコンパクトな形状となり、この状態で、上記容器外殻材２１内に収容可能とされている。この収容状態で、この容器外殻材２１を収縮させれば、上記保冷容器１３は全体的にコンパクトに折り畳み可能とされている。また、図示しないが、上記冷却機器１４、電力装置１５、蓋１８の一側部２５、および他側部２６も、上記容器外殻材２１内に収容可能とされている。この容器外殻材２１の外面には、不図示の手提げ用把持部が設けられている。この把持部により、上記保冷、冷却装置本体４の搬送が容易にできることとされている。
【００４３】
上記構成によれば、保冷容器１３を折り畳み可能な構造としている。
【００４４】
このため、上記保冷、冷却装置１の不使用時には、上記保冷、冷却装置１の車両３や、保冷、冷却装置本体４の保冷容器１３を折り畳めば、これら車両３や保冷容器１３をコンパクトにできる。よって、保冷、冷却装置１の不使用時において、この保冷、冷却装置１を遠方や交通不便なところに搬送したり、保管したりするときの取り扱い作業が容易にできる。
【００４５】
また、前記したように、蓋１８を一側部２５と他側部２６とに分断し、上記蓋１８の一側部２５に上記冷却機器１４を取り付け、上記蓋１８の他側部２６が、この他側部２６に対応する上記開口１７の部分１７ｂを開閉可能に閉じるようにしている。
【００４６】
このため、上記保冷容器１３の内部空間１２に対し、被収容物１１を出し入れする作業は、上記蓋１８の他側部２６を操作して上記開口１７の部分１７ｂを開け、この部分１７ｂを通して行えばよい。つまり、上記冷却機器１４を上記蓋１８の一側部２５と共に上記容器本体１６に取り付けたままで、上記内部空間１２に対し、被収容物１１の出し入れ作業ができる。よって、この出し入れ作業が容易にできる。
【００４７】
また、前記したように、冷却機器１４が、熱交換器３３と、この熱交換器３３を空冷する空冷ファン３４とを備え、この空冷ファン３４により上記熱交換器３３を空冷した後の排風３６が上記蓋１８の他側部２６の上方近傍域３７に向けて排出されるようにしている。
【００４８】
このため、例えば、上記保冷、冷却装置１の保冷、冷却装置本体４に積み上げた他の保冷、冷却装置１の保冷、冷却装置本体４（図１中、二点鎖線）や、外側方に隣り合う更に他の保冷、冷却装置１の保冷、冷却装置本体４に対し、上記熱交換器３３を空冷した後の温かい排風３６が直接向かう、ということが防止される。よって、上記保冷、冷却装置１の周りの他の保冷、冷却装置１の保冷、冷却装置本体４が無用に加熱されるということは防止され、この保冷、冷却装置１による保冷、冷却効果が良好に保たれる。
【００４９】
また、前記したように、冷却機器１４に電力を供給する電力装置１５を上記蓋１８の他側部２６に取り付けている。
【００５０】
このため、上記蓋１８の他側部２６の周りの空間が上記電力装置１５の配置に利用されることとなる。よって、上記保冷、冷却装置１の保冷、冷却装置本体４の各構成部品がコンパクトに配置されてこの保冷、冷却装置１を、より小型にできる。
【００５１】
また、上記冷却機器１４と電力装置１５との各上面の高さをほぼ同じとしている。
【００５２】
このため、上記保冷、冷却装置１の保冷、冷却装置本体４上への他の保冷、冷却装置１の保冷、冷却装置本体４の安定した積み上げができる（図１中、二点鎖線）。よって、狭い空間でも複数の保冷、冷却装置本体４の保管が容易にできる。
【００５３】
また、前記したように、蓋１８の上面に上記冷却機器１４を取り付け、上記蓋１８の上、下面を反転させて、上記開口１７を閉じたとき、上記冷却機器１４が上記保冷容器１３の内部空間１２に収容されるようにしている。
【００５４】
このため、上記保冷、冷却装置１の不使用時には、上記したように、蓋１８を単に反転させる。すると、上記保冷容器１３の外部に上記冷却機器１４の占有空間を設けることは不要となる分、保冷、冷却装置１をコンパクトにできる。よって、保冷、冷却装置１の不使用時に、この保冷、冷却装置１を搬送したり、保管したりするときの取り扱い作業が容易にできる。また、上記のように反転させた蓋１８の上面は平坦となるため、上記保冷、冷却装置１の保冷、冷却装置本体４を段積みすることも可能となる。よって、上記取り扱い作業が更に容易となる。
【００５５】
なお、以上は図示の例によるが、車両３は自走式であってもよく、この車両３は設けなくてもよい。また、上記冷却機器１４は蓄冷材を用いるものであってもよい。また、上記電力装置１５は、保冷容器１３の容器本体１６に取り付けてもよく、また、上記保冷容器１３とは別体に設けて車両３に設置してもよい。また、上記電力装置１５は、太陽電池とバッテリとの組み合わせでもよく、発電機であってもよい。また、上記保冷容器１３を折り畳むとき、上記重ね合わせ体２２，２３を、折り畳んだ上記容器外殻材２１の外面に接合させて、これら２１，２２，２３を一体的に結束させてもよい。
【図面の簡単な説明】
【００５６】
【図１】図２の部分拡大部分断面図である。
【図２】保冷、冷却装置の全体側面図である。
【図３】保冷、冷却装置の保冷、冷却装置本体の平面部分断面図である。
【図４】図１の４−４線矢視断面図である。
【図５】保冷、冷却装置の保冷、冷却装置本体の斜視展開図である。
【図６】保冷容器をコンパクトにしたときの斜視図である。
【符号の説明】
【００５７】
１    保冷、冷却装置
２    路面
３    車両
４    保冷、冷却装置本体
１１  被収容物
１２  内部空間
１３  保冷容器
１４  冷却機器
１５  電力装置
１６  容器本体
１７  開口
１７ａ  部分
１７ｂ  部分
１８  蓋
１９  固着具
２５  一側部
２６  他側部
３３  熱交換器
３４  空冷ファン
３６  排風
３７  上方近傍域
【図１】
2006194503.tif 000003
【図２】
2006194503.tif 000004
【図３】
2006194503.tif 000005
【図４】
2006194503.tif 000006
【図５】
2006194503.tif 000007
【図６】
2006194503.tif 000008
【手続補正書】
【提出日】平成17年1月17日(2005.1.17)
【手続補正１】
【補正対象書類名】図面
【補正対象項目名】全図
【補正方法】変更
【補正の内容】
【図１】
2006194503.tif 000009
【図２】
2006194503.tif 000010
【図３】
2006194503.tif 000011
【図４】
2006194503.tif 000012
【図５】
2006194503.tif 000013
【図６】
2006194503.tif 000014